(57)【要約】【課題】運転用の機器類を収納したケース本体１１の前側開口部を、ケース本体の前側の側縁部に取付けた開閉扉１２にて開閉可能に閉鎖する機器類の運転装置（例えば電解水生成装置）において、ケース本体１１内の各機器類のメンテナンス時、作業者による操作パネル６０の操作盤部６３の視認や操作等の作業を、ほとんど移動することなくできるようにする。【解決手段】操作パネル６０をケース本体１１の前面側開口部に脱着可能に支持するとともに、開閉扉１２の裏面側にケース本体１１から取外した操作パネル６０を脱着可能に支持する構成として、開閉扉１２を開いてケース本体１１の前側開口部を開放した際、操作パネル１２の裏面側に支持した操作パネル６０がメンテナンスの作業者の斜め側方に位置するようにした。【選択図】    図３
2010188307.tif 000002
【特許請求の範囲】
【請求項１】
運転用の機器類を収納したケース本体の前面側開口部を、前記ケース本体の前面側の一側縁部に取付けた開閉扉で開閉可能に閉鎖する機器類の運転装置であり、前記ケース本体は前面側に取外し可能に支持された操作パネルを備え、前記開閉扉は前記操作パネルの操作盤部を前面側に表出する窓部を備えるとともに、前記開閉扉の裏面側には前記操作パネルを取外し可能に支持する支持部を備え、前記ケース本体から取外した前記操作パネルを前記開閉扉の裏面側に支持することを可能にしたことを特徴とする機器類の運転装置。
【請求項２】
請求項１に記載の機器類の運転装置であり、当該機器類の運転装置はケース本体内に電解槽を収納してなる電解水生成装置であり、前記操作パネルは前記ケース本体の前面側に設けた左右方向に延びる上下一対の支持部にて取外し可能に支持けられていて、前記ケース本体から取外された前記操作パネルは前記開閉扉の裏面側に表側となるように支持されることを特徴とする機器類の運転装置。
【請求項３】
請求項１または２に記載の機器類の運転装置であり、前記開閉扉は裏面側に、前記操作パネルを支持する支持部以外の第２の支持部を備えていることを特徴とする機器類の運転装置。
【請求項４】
請求項３に記載の機器類の運転装置であり、前記開閉扉の裏面側に形成されている各支持部は、前記開閉扉の左右方向に延びる細幅の板状基部を主体とし、同板状基部の前側縁に掛止部を備えること特徴とする機器類の運転装置。
【発明の詳細な説明】
【技術分野】
【０００１】
本発明は、電解水生成装置、飲料販売機等、機器類の運転装置に関する。本発明では、電解水生成装置、飲料販売機、これに類似する装置や機器類を総称して「機器類の運転装置」と称する。
【背景技術】
【０００２】
電解水生成装置や飲料販売機等、機器類の運転装置は、運転用の機器類を収納したケース本体の前面側開口部を、その前面側の一側縁部に取付けた開閉扉で開閉可能に閉鎖する構成としているのが一般である（特許文献１を参照）。
当該特許文献１に記載の機器類の運転装置は電解水生成装置であって、当該電解水生成装置は、ケース本体内に電解槽や塩水タンクを収納してなるもので、当該電解水生成装置の運転等を操作するとともに運転状況等や警告を表示する操作パネルは、ケース本体の前面側開口部を開閉する開閉扉に固定的に取付けられている。
【先行技術文献】
【特許文献】
【０００３】
【特許文献１】特開２０００−９５２２５号公報
【発明の概要】
【発明が解決しようとする課題】
【０００４】
当該形式の機器類の運転装置においては、ケース本体内に収納されている各種機器類を点検、修理、試運転する等のメンテナンス時には、作業者は開閉扉を開いてケース本体の前面側開口部を開放し、ケース本体の前面側開口部に対向してメンテナンスを行うことになる。実際の機器類のメンテナンスでは、操作パネルの操作盤に配設されているスイッチ類、押しボタン類等を操作し、さらには、各種の表示ランプを確認して作業を行なっている。
【０００５】
ところで、従来の運転装置においては、当該メンテナンス時には、開かれた開閉扉は、ケース本体の前面側開口部に対向して作業する作業者に対して裏返し状態になっていることから、ケース本体の前側に対向してメンテナンス作業を行う作業者は、その場で、開閉扉の前面側に表出している操作パネルの操作盤を視認することができず、操作盤に配設されているスイッチ類や押しボタン類を操作したり、各種の表示ランプを確認することができない。
【０００６】
このため、各種機器類を点検、修理、試運転する等のメンテナンスを行う作業者は、作業者が一人である限りにおいては、その都度、開閉扉の前面側に回り出なければならないという不都合がある。従って、本発明の目的は、メンテナンス時におけるこのような不都合を解消することにある。
【課題を解決するための手段】
【０００７】
本発明は、機器類の運転装置に関する。本発明が適用対象とする運転装置は、運転用の機器類を収納したケース本体の前面側開口部を、前記ケース本体の前面側の一側縁部に取付けた開閉扉で開閉可能に閉鎖する機器類の運転装置である。
【０００８】
しかして、本発明に係る機器類の運転装置においては、前記ケース本体は前面側に取外し可能に支持された操作パネルを備え、前記開閉扉は前記操作パネルの操作盤部を前面側に表出する窓部を備えるとともに、前記開閉扉の裏面側には前記操作パネルを支持する支持部を備え、前記ケース本体から取外した前記操作パネルを前記開閉扉の裏面側に取外し可能に支持するようにしたことを特徴とするものである。
【０００９】
本発明に係る機器類の運転装置としては、ケース本体内に電解槽を収納してなる電解水生成装置を採用することができ、当該電解水生成装置においては、前記操作パネルは前記ケース本体の前面側に設けた左右方向に延びる上下一つの支持部にて取外し可能に取付けられていて、前記ケース本体から取外された前記操作パネルを、前記開閉扉の裏面側に表側となるように支持するようにすることができる。
【００１０】
本発明に係る機器類の運転装置に採用する開閉扉については、その裏面側に、前記操作パネルを支持する支持部以外の第２の支持部を備えている構成とすることができる。また、各支持部については、前記開閉扉の左右方向に延びる細幅の板状基部を主体とし、同板状基部の前側縁に掛止部を備える構成とすることができる。
【発明の効果】
【００１１】
本発明に係る機器類の運転装置においては、ケース本体内に収納されている各種機器類を点検、修理、試運転する等のメンテナンスに際しては、作業者は、開閉扉を開いてケース本体の前面側開口部を開放して操作パネルをケース本体から取外し、取外した操作パネルを、開いた状態の開閉扉の裏面側に脱着可能に支持する。作業者は、この状態でメンテナンスを開始する。
【００１２】
この状態では、操作パネルは、ケース本体の前側開口部に対向して作業する作業者の斜め側方に位置して見易い状態にあり、作業者は、その作業位置をほとんど移動することなく、たとえば振り向いた状態で、操作パネルの操作盤に配設されているスイッチ類、押しボタン類等を操作することができるともに、各種の表示ランプを確認することができることになる。このため、従来の運転装置のメンテナンス時のごとく、作業者はその都度、開閉扉の表面側へ大きく回り出なければならないという不都合は解消され、メンテナンスを一人の作業者で容易に行うことができるという利点がある。
【００１３】
本発明に係る機器類の運転装置に採用する開閉扉においては、その裏面側に、操作パネルを支持する支持部以外の第２の支持部を備える構成とすることができ、第２の支持部をマニュアルラック等に構成して、当該機器類の運転装置の取扱い説明書等を保管するようにすれば、取扱い説明書等の紛失を防止することができる。
【００１４】
また、当該開閉扉の裏面側に形成する各支持部を、開閉扉の左右方向へ延びる細幅の板状基部を主体とし、同板状基部の前側縁に掛止部を備える構成とすれば、各支持部が開閉扉を補強する補強部材として機能することから、当該開閉扉を各支持部とは別体の補強部材で補強する必要はなくなる。
【図面の簡単な説明】
【００１５】
【図１】機器類の運転装置の一実施形態である電解水生成装置の正面図である。
【図２】同電解水生成装置の左側の側面図（ａ）および右側の側面図（ｂ）である。
【図３】同電解水生成装置の開閉扉を取外した状態の前側からみた斜視図である。
【図４】同電解水生成装置の一部を省略した縦断側面図である。
【図５】同電解水生成装置の構成を示す概略構成図である。
【図６】同電解水生成装置が装備する制御装置を示すブロック図である。
【図７】同電解水生成装置が装備する操作パネルの開閉扉を取外した状態の斜視図である。
【図８】同電解水生成装置が装備する開閉扉の裏側からみた斜視図である。
【図９】同電解水生成装置が装備する塩水タンクの前側の上方からみた斜視図である。
【発明を実施するための形態】
【００１６】
本発明は、機器類の運転装置に関する。図１〜図５には、本発明に係る機器類の運転装置の一実施形態である電解水生成装置を示している。当該電解水生成装置は、装置の構成部品（機器類）を収納するケース本体の前面側開口部を開閉扉で開閉可能に閉鎖してなる装置本体Ａと、電解生成酸性水を貯溜する第１の貯溜タンクＢと、電解生成アルカリ性水を貯溜する第２の貯溜タンクＣを備えている。装置本体Ａは、装置の主たる構成部品をケース１０内に配置して収納されているもので、支持台Ｄの中央部に設置されて取付けられている。また、第１の貯溜タンクＢは支持台Ｄにおける装置本体Ａの右側に設置されて取付けられ、第２の貯溜タンクＣは支持台Ｄにおける装置本体Ａの左側に設置されて取付けられている。
【００１７】
装置本体Ａを構成するケース１０は、左右の側部、後側部および上側部が閉鎖状態にあるケース本体１１と、ケース本体１１の前面側開口部を開閉する開閉扉１２からなり、ケース本体１１内には、図３〜図５に示すように、軟水器２１、塩水タンク２２、一対の電解槽２３，２４、および、中和槽２５が配置されて収納されていて、これらの各構成部品は水系管路によって適宜接続されている。
【００１８】
装置本体Ａの主たる構成部品である各電解槽２３，２４は有隔膜電解槽であって、槽本体は隔膜にて区画された一対の電解室を備えている。各電解室は、電解運転が所定時間経過した時点で、その極性を正負反転するように制御され、陽極側電解室が陰極側電解室に切換えられるとともに、陰極側電解室が陽極側電解室に切換えられるように構成されている。
【００１９】
電解槽２３，２４を構成する各電解室の上流側には、被電解水の供給管路３１ａ，３１ｂが接続されており、各電解室の下流側には、各電解室にて生成される電解生成水を流出する流出管路３２ａ，３２ｂ、３３ａ，３３ｂがそれぞれ接続されている。各流出管路３２ａ，３２ｂは切換弁４１ａを介して導入管路３２ｃ，３２ｄに接続されており、各流出管路３３ａ，３３ｂは切換弁４１ｂを介して導入管路３３ｃ，３３ｄにそれぞれ接続されている。
【００２０】
電解槽２３側に接続されている導入管路３２ｃは、第１の貯溜タンクＢの側部上方に接続されていて、導入管路３２ｃには、電解槽２４側に接続されている導入管路３３ｃが接続されている。また、電解槽２３側に接続されている導入管路３２ｄは、第２電解生成水槽２４側に接続されている導入管路３３ｄに接続されていて、導入管路３３ｄは第２の貯溜タンクＣの側部上方に接続されている。
【００２１】
電解槽２３側の導入管路３２ｃは、電解生成酸性水の専用の導入管路であって、各電解槽２３，２４の陽極側電解室にて生成される電解生成酸性水を、第１の貯溜タンクＢ内に導入すべく機能する。また、電解槽２４側の導入管路３３ｄは、電解生成アルカリ性水の専用の導入管路であって、各電解槽２３，２４の陰極側電解室にて生成される電解生成アルカリ性水を、第２の貯溜タンクＣ内に導入すべく機能する。
【００２２】
各電解槽２３，２４においては、電解運転時、電解運転が設定された所定の時間継続された時点で、各電解室の極性を正負反転させる制御がなされるが、これと同期して、各切換弁４１ａ，４１ｂが切換動作して、電解槽２３側の各流出管路３２ａ，３２ｂと各導入管路３２ｃ，３２ｄとの接続関係が変更されるとともに、電解槽２４側の各流出管路３３ａ，３３ｂと各導入管路３３ｃ，３３ｄとの接続関係が変更される。
【００２３】
これにより、各電解槽２３，２４の各陽極側電解室にて生成される電解生成酸性水は、常に、導入管路３２ｃを通って第１の貯溜タンクB内に導入され、また、各電解槽２３，２４の各陰極側電解室にて生成される電解生成アルカリ性水は、常に、導入管路３３ｄを通って第２の貯溜タンクＣ内に導入されることになる。
【００２４】
各電解槽２３，２４に供給される被電解水は、軟水器２１を通って軟水化された原水に塩水タンク２２から設定された量の塩水を、パルスポンプ４２ａにより供給することにより調製される。水道管等の給水源に接続されている給水管路３４には、減圧弁４３ａおよび軟水器２１が介装されていて、給水管路３４の分岐管路部が塩水タンク２２に接続されている。分岐管路部には、開閉弁４３ｂが介装されている。
【００２５】
塩水タンク２２は、被電解水を調製するための濃塩水をタンク内で調製して、調製された濃塩水を、塩水供給管路３５を通して給水管路３４に供給する。塩水タンク２２内には、常時、例えば食塩等の塩が収容されていて、給水管路３４から供給される原水によって、飽和食塩水等の飽和塩水が調製される。当該飽和塩水が被電解水を調製するために、給水管路３４内に供給される。塩水タンク２２は、塩水供給管路３５を介して給水管路３４の途中に接続されていて、塩水の供給管路３５には、パルスポンプ４２ａが介装されている。
【００２６】
当該水系回路においては、給水管路３４には軟水化された原水が設定された所定の流量で流動し、流動する原水に塩水タンク２２にて調製された所定の高濃度の塩水が、パルスポンプ４２ａにて設定された所定量継続して供給される。これにより、給水管路３４内にて被電解水（設定された所定濃度の希薄塩水）が調製され、調製された被電解水は、被電解水の供給管路３１ａ，３１ｂを通って各電解槽２３，２４に供給される。各電解槽２３，２４に供給された被電解水は、各電解槽２３，２４を流動する間に、各電解槽２３，２４の電解室内にて有隔膜電解される。
【００２７】
なお、当該電解水生成装置においては、各電解槽２３，２４を同時に電解運転することができるとともに、各電解槽２３，２４のいずれか一方を選択して電解運転することができる。このため、被電解水の供給管路３１ａ，３１ｂには、開閉弁４３ｃ，４３ｄがそれぞれ介装されていて、各電解槽２３，２４を同時に電解に供する場合には、各開閉弁４３ｃ，４３ｄを開いた状態として、各電解槽２３，２４に被電解水を同時に供給し得るようにする。また、各電解槽２３，２４のいずれか一方の電解槽を電解に供する場合には、各開閉弁４３ｃ，４３ｄのいずれか一方の開閉弁を開いた状態として、一方の電解槽にのみ被電解水を供給し得るようにする。
【００２８】
当該電解水生成装置が有する中和槽２５は、寒水石等の中和剤を収容されているもので、余剰の電解生成酸性水を中和処理して、塩素ガスが発生しない中性の処理液として排水すべく機能する。中和槽２５には、各貯溜タンクＢ，Ｃが有するオーバーフローパイプＢ1，Ｃ1に接続する流出管路３６ａ，３６ｂが接続されている。これにより、第１の貯溜タンクＢ内にてオーバーフローパイプＢ1を通ってオーバーフローする電解生成酸性水は流出管路３６ａを通って中和槽２５内に流入し、中和槽２５内の中和剤にて中和処理されて、中性の処理液として排水管路３６ｃを通って排水される。
【００２９】
また、第２の貯溜タンクＣ内にて、オーバーフローパイプＣ1を通ってオーバーフローする電解生成アルカリ性水は、流出管路３６ｂを通って中和槽２５内に流入するが、中和槽２５内では中和剤とは反応することなく、そのままの状態で排水管路３６ｃを通って排水されることになる。
【００３０】
当該電解水生成装置においては、第１の貯溜タンクＢ内に貯溜されている電解生成酸性水は第１注出管路３７ａを通して注出されて、消費者に供される。また、第２の貯溜タンクＣ内に貯溜されている電解生成アルカリ性水は第２注出管路３７ｂを通して注出されて、消費者に供される。
【００３１】
第１注出管路３７ａは、第１の貯溜タンクＢの下方の前側部にて接続されていて、ケース本体１１の下方の前側部に沿って延びてケース本体１１の下方の前側部を貫通し、ケース本体１１の底部に沿って後方に延び、後方にて、ケース本体１１内を上方に延びてケース本体１１の上方の右側部に設けた吐出口部１１ａに接続されている。吐出口部１１ａには、当該電解水生成装置の設置時に、図示しない第２の注出管路が接続される。当該第２の注出管路は、消費者が使用する場所に延びていて、当該場所にて電解生成酸性水を注出する。
【００３２】
一方、第２注出管路３７ｂは、第２の貯溜タンクＣの下方の前側部に接続されていて、ケース本体１１の下方の前側部に沿って延びてケース本体１１の下方の前側部を貫通し、ケース本体１１の底部に沿って後方に延び、後方にて、ケース本体１１内を上方に延びてケース本体１１の上方の左側部に設けた吐出口部１１ｂに接続されている。吐出口部１１ｂには、当該電解水生成装置の設置時に、図示しない第２の注出管路が接続される。当該第２の注出管路は、消費者が使用する場所に延びていて、当該場所にて電解生成アルカリ性水を注出する。
【００３３】
なお、ケース本体１１の上方の右側部には通気口部１１ｃが設けられている。通気口部１１ｃには、電解生成酸性水の導入管路３２ｃに接続されている図示しない排気管路が接続されていて、導入管路３２ｃで発生するガスを排気すべく機能する。また、ケース本体１１の上方の左側部には通気口部１１ｄ，１１ｅが設けられている。通気口部１１ｄには、電解生成アルカリ性水の導入管路３３ｄに接続されている図示しない排気管路が接続されていて、導入管路３３ｄで発生するガスを排気すべく機能する。また、通気口部１１ｅには、中和槽２５の上方部に接続されている図示しない排気管路が接続されていて、中和槽２５で発生するガスを排気すべく機能する。
【００３４】
しかして、第１注出管路３７ａには、注出ポンプ４２ｂと開閉弁４３ｅが介装されており、また、第２注出管路３７ｂには、注出ポンプ４２ｃと開閉弁４３ｆが介装されている。当該電解水生成装置においては、第１注出管路３７ａの開閉弁４３ｅを開いた状態で、注出ポンプ４２ｂを駆動すれば、第１の貯溜タンクＢ内に貯溜する電解生成酸性水が第１注出管路３７ａを通して注出されて消費者に供される。また、第２注出管路３７ｂの開閉弁４３ｆを開いた状態で、注出ポンプ４２ｃを駆動すれば、第２の貯溜タンクＣ内に貯溜する電解生成アルカリ性水が第２注出管路３７ｂを通して注出されて消費者に供される。
【００３５】
当該電解水生成装置においては、各注出ポンプ４２ｂ，４２ｃは、第１注出管路３７ａ，３７ｂにおけるケース本体１１内の部位に介装されており、各開閉弁４３ｅ，４３ｆは、各注出管路３７ａ，３７ｂにおけるケース本体１１の下方の前側部に沿って延びる部位の中間部に介装されている。各開閉弁４３ｅ，４３ｆは、レバーの回動操作により開閉するレバー回動式の開閉弁であって、レバーが管路部の頂部に位置するように介装されている。
【００３６】
このため、開閉弁４３ｅ，４３ｆのレバーを管路部の頂部にて水平に回動操作すれば、開閉弁４３ｅ，４３ｆを開閉することができる。当該電解水生成装置では、当該レバーが管路部に沿う平行位置にある状態が開閉弁４３ｅ，４３ｆが開いている状態に設定されていて、当該レバーを回動して管路部に対して略直交する交差状態にした状態で開閉弁４３ｅ，４３ｆが閉じるようになっている。ケース本体１１における下方の前側部には、アンダカバー１３が嵌合して脱着可能に取付けられている。
【００３７】
アンダカバー１３は、各注出管路３７ａ，３７ｂにおけるケース本体１１の下方の前側部に露呈している管路部、および、同管路部に介装されている開閉弁４３ｅ，４３ｆをカバーして保護すべく機能するとともに、当該電解水生成装置の外観を向上すべく機能する。アンダカバー１３は脱着容易であって、開閉弁４３ｅ，４３ｆはアンダカバー１３を取外した状態で開閉操作でき、開閉弁４３ｅ，４３ｆが閉じた状態では、レバーが管路部に対して略直交状に前方に突出していることから、アンダカバー１３をケース本体１１に取付けることができない。アンダカバー１３をケース本体１１に取付けるには、レバーを回動操作して管路部に対して平行にした開閉弁４３ｅ，４３ｆが開いた状態にする必要がある。
【００３８】
当該電解水生成装置は制御装置５０を装備しており、制御装置５０は当該電解水生成装置の電解運転、各貯溜タンクＢ，Ｃ内への各電解生成水の導入、各貯溜タンクＢ，Ｃからの各電解生成水の注出、および、中和槽２５における中和処理を制御する。図６には、当該制御装置５０の制御回路を概略的に示している。
【００３９】
制御装置５０はマイクロコンピュータであって、ＣＰＵおよび駆動回路を備えている。制御装置５０は、操作パネル６０における操作盤部に配設されている操作スイッチ、押しボタン等の操作により、電解指令、注出指令、中和剤等の補充指令等を受けて、電解運転、注出運転等の制御を行い、また、中和剤等の補充を認知させるべく警告ランプＥを点滅させる。
【００４０】
制御装置５０は、電解運転時には、パルスポンプ４２ａを駆動して給水管路３４内を流動する軟水化された原水に設定された濃度の塩水を設定された量だけ継続して供給して、設定された濃度の希薄塩水（被電解水）を調製する。また、制御装置５０は、電解運転時、運転者の電解モードの選択の指令に基づき開閉弁４３ｃ，４３ｄを開閉動作して、各電解槽２３，２４の同時の電解運転と、各電解槽２３，２４のいずれか一方の選択的な電解運転との電解モードを選択する。
【００４１】
制御装置５０は、電解運転時、電解槽２３，２４の各電解室の極性の正負反転の指令に基づき、各電解室のうち、陽極側電解室を陰極側電解室に、陰極側電解室を陽極側電解室に変更し、これに同期して、切換弁４１ａ，４１ｂを切換動作させる。これにより、制御装置５０は、電解槽２３，２４の陽極側電解室にて生成された電解生成酸性水を、常に導入管路３２ｃを通して第１の貯溜タンクＢ内に導入させ、また、電解槽２３，２４の陰極側電解室にて生成された電解生成アルカリ性水を、常に導入管路３３ｄを通して第２の貯溜タンクＣ内に導入させる。
【００４２】
各貯溜タンクＢ，Ｃ内にはフロートスイッチＢ2，Ｃ2が配設されていて、オーバーフローパイプＢ1，Ｃ1と共働して、各貯溜タンクＢ，Ｃ内の電解生成水を設定された一定量に維持する。電解生成酸性水と電解生成アルカリ性水は、電解運転時には同期的に生成されて、各貯溜タンクＢ，Ｃ内には略同量導入される。制御装置５０は、各貯溜タンクＢ，Ｃ内に貯溜された各電解生成水が同量となって、両フロートスイッチＢ2，Ｃ2が満タンに達したことを検知した場合には、電解槽２３，２４の電解運転を停止する。また、制御装置５０は、各貯溜タンクＢ，Ｃの少なくとも一方の貯溜タンク内の電解生成水が設定された所定量消費された場合、これを検知したフロートスイッチの検出信号に基づき電解運転を再開して、両貯溜タンクＢ，Ｃ内に各電解生成水を導入して補充する。
【００４３】
制御装置５０は、消費者による電解生成水の注出指令に基づき、消費者が選択した電解生成水側の注出ポンプを駆動して、選択された電解生成水を専用の注出管路を通して注出させる。制御装置５０は、消費者が電解生成酸性水を選択した場合には、第１の貯溜タンクＢ内の電解生成酸性水を注出管路３７ａを通して注出し、また、消費者が電解生成アルカリ性水を選択した場合には、第２の貯溜タンクＣ内の電解生成アルカリ性水を注出管路３７ｂを通して注出する。電解生成水の注出については、所定時間経過した時点で自動的に停止させることができるとともに、消費者の手動による停止操作によっても停止させることができる。
【００４４】
ところで、当該電解水生成装置においては、第１の貯溜タンクＢ内に貯溜されている電解生成酸性水の消費量と、第２の貯溜タンクＣ内に貯溜されている電解生成アルカリ性水の消費量とに差が生じて、両貯溜タンクＢ，Ｃの一方のみの電解生成水が設定された所定の消費量に達する場合がある。本発明では、当該貯溜タンクを便宜上空タン状態にある貯溜タンクと称する。この場合には、空タン状態になったことをフロートスイッチが検出すると、制御装置５０はその検出信号に基づき電解運転を開始して、両貯溜タンクＢ，Ｃ内に各電解生成水を導入する。
【００４５】
このため、各貯溜タンクＢ，Ｃ内には各電解生成水が導入されて貯溜タンクＢ，Ｃ内が満タン状態となるが、空タンク状態を呈していなかった貯溜タンクの方が空タンク状態を呈していた貯溜タンクよりも先に満タン状態となる。この結果、先に満タン状態となった貯溜タンクからは、その後に導入される電解生成水に応じて、余剰の電解生成水がオーバーフローパイプからオーバーフローして排水管路を通して中和槽２５内に流入することになる。
【００４６】
例えば、第１の貯溜タンクＢ内が早く満タン状態となった場合には、第１の貯溜タンクＢ内の電解生成酸性水が排水管路３６ａを通って中和槽２５内に流入し、中和槽２５内に収容されている寒水石等の中和剤にて中和処理されて、中性の処理液として排水管路３６ｃを通して排水される。また、第２の貯溜タンクＣ内が早く満タン状態となった場合には、第２の貯溜タンクＣ内の電解生成アルカリ性水が排水管路３６ｂを通って中和槽２５内に流入し、中和剤とは反応することなく、そのまま排水管路３６ｃを通して排水される。
【００４７】
従って、電解生成酸性水が第１の貯溜タンクＢ内から流入して中和槽２５内に流入する場合には、中和槽２５内に収容されている中和剤は、第１の貯溜タンクＢ内から流入する電解生成酸性水の量に応じて消費されることになり、中和剤が所定量消費された時点では、中和剤を中和槽２５内に補充する必要がある。しかしながら、当該電解水生成装置においては、中和槽２５が開閉扉１２に閉鎖されているケース本体１１内に配設されていることから、中和槽２５内の中和剤の量を外部から視認することは困難であり、中和剤の補充タイミングを失することが起こり得る。
【００４８】
当該電解水生成装置は、かかる問題に対処すべき手段を備えている。当該電解水生成装置が装備する制御装置５０を、中和剤の消費量を中和槽２５内に流入された電解生成酸性水の量から算出する機能と、中和剤が設定量消費されたことを認知させる認知手段を駆動する機能を有する構成としている。さらには、当該電解水生成装置が装備する制御装置５０を、中和槽２５内の中和剤が設定量消費されたことを認知させる認知手段を駆動し、かつ、中和剤が設定された消費量限界に達したときには有隔膜電解槽２３，２４の電解運転を停止する機能を有する構成としている。
【００４９】
本実施形態では、制御装置５０は、第１の貯溜タンクＢ内が満水になったことを検出したフロートスイッチＢ2からの検出信号に基づき、満水時点からの電解運転の継続時間と電解生成水の生成流量から中和槽２５内に流入した余剰の電解生成酸性水の水量を算出するとともに、余剰の電解生成酸性水量から中和槽２５内の中和剤の消費量を算出する。刻々算出される中和剤の消費量が設定された消費量に達した時点で、制御装置５０は操作パネル６０が有する操作盤部に設置されている認知手段、例えば警告ランプＥを点滅して、当該電解水生成装置の管理者に、中和剤を補充すべきタイミングを認知させる。
【００５０】
このため、当該管理者は、警告ランプＥの点滅により中和剤の補充タイミングを認知して、中和槽２５に所定量の中和剤を補充する。これにより、中和槽２５内に中和剤が存在しない状態での電解運転を回避することができる。なお、本実施形態では、認知手段として警告ランプＥを使用しているが、認知手段としては公知の適宜の警告手段を採ることができ、例えば、警告ブザー等は認知手段としては極めて有効である。
【００５１】
また、当該管理者が警告ランプＥの点滅に気付かず、または、警告ランプＥの点滅を認知したにも関わらず中和剤の補充を忘れる場合があり、この場合には、制御装置５０は以下のように機能する。制御装置５０は、中和槽２５内の中和剤が設定された所定の消費量に達した後に、中和剤が消費量限界に達したときには、有隔膜電解槽２３，２４の電解運転を緊急停止させる。これにより、中和槽２５内に中和剤が存在しない状態での電解運転を確実に回避することができる。
【００５２】
当該電解水生成装置においては、操作パネル６０は、各種の機器類が収納されているケース本体１１の前面側開口部に設けた支持部に支持されて、ケース本体１１に取外し可能に取付けられている。操作パネル６０は、図１、図３、図４および図７に示すように、パネル本体６１と、パネル本体６１に設けた開口部６１ａから後方に屈曲して延びる投入筒部６２と、パネル本体６１における開口部６１ａより上方の部位に設けられた操作盤部６３と、パネル本体６１の開口部６１ａを開閉可能に閉鎖する開閉扉６４を備えている。操作盤部６３には、操作スイッチ、押しボタン、各種表示ランプ等が配設されている。
【００５３】
しかして、当該操作パネル６０においては、パネル本体６１の外周を形成する外向きフランジ部６１ｂにおける上下の部位に複数の支持用孔６１ｃを備え、ケース本体１１の前面側開口部の略中央部に取付けられる。ケース本体１１は、その前面側開口部の左右に縁部に取付けた上下一対の桁状の支持部６５ａ，６５ｂを備えていて、各支持部６５ａ，６５ｂには、パネル本体６１の各支持用孔６１ｃに対向する複数の支持用ピン６５ｃが植設されている。
【００５４】
当該操作パネル６０は、パネル本体６１の各支持用孔６１ｃに各支持部６５ａ，６５ｂの各支持用ピン６５ｃを挿通させた状態で各支持部６５ａ，６５ｂに支持して取付けられている。操作パネル６０の当該取付け状態では、当該操作パネル６０はケース本体１１に対して取外し可能であって、パネル本体の前面側が開閉扉１２の裏面側に対向し、パネル本体６１の開口部６１ａから後方に延びる投入筒部６２は塩水タンク２２のタンク本体２２ａにおける上端開口部２２ａ1に臨んでいる。
【００５５】
当該操作パネル６０においては、開閉扉１２を閉じた状態では、パネル本体６１が開閉扉１２に設けた開口部１２ａに嵌合して、パネル本体６１における外向きフランジ部６１ｂを除く全ての前側部位が開閉扉１２の開口部１２ａから表出する。このため、当該電解水生成装置においては、開閉扉１２を閉じた状態で、パネル本体６１に設けた操作盤部６３の操作を行うことができるとともに、操作パネル６０に設けた開閉扉６４の開閉操作を行って、塩水タンク２２内への食塩等の塩の補充を行うことができる。
【００５６】
塩水タンク２２内への食塩等の塩の補充に当たっては、開閉扉６４を開いてパネル本体６１の開口部６１ａを開放し、開放された開口部６１ａから投入筒部６３内へ塩を投入する。投入された塩は、投入筒部６３を通って塩水タンク２２の上端開口部から、塩水タンク２２内に投入されて確実に補充されることになる。
【００５７】
一方、ケース本体１１の前面側開口部を閉鎖する開閉扉１２には、図８に示すように、その裏面に操作パネル６０を支持する支持部を備えていて、ケース本体１１から取外した操作パネル６０を、開閉扉１２の裏面側に着脱可能に支持することができるようになっている。図８には、当該開閉扉１２の裏面側を示している。当該開閉扉１２においては、開口部１２ａの上縁部よりわずか上方の部位に上側支持部６６ａを備え、開口部１２ａの下縁部よりわずか下方の部位に下側支持部６６ｂを備えている。
【００５８】
上側支持部６６ａは、開閉扉１２の左右方向に延びる細幅の板状基部６６ａ1を主体とし、板状基部６６ａ1の中央部の上縁から前方へ延びるフック状の掛止部６６ａ2を備えている。また、下側支持部６６ｂは、開閉扉１２の左右方向に延びる細幅の板状基部６６ｂ1を主体とし、板状基部６６ｂ1の下縁から前方に延びて立ち上がる断面Ｌ字状の掛止部６６ｂ2を備えている。但し、下側支持部６６ｂを構成する掛止部６６ｂ2は、その前側の立ち上がり部が板状基部６６ｂ1の高さより低く形成されていて、板状基板部６６ｂ1とともに嵌合溝部６６ｂ3を形成している。
【００５９】
ケース本体１１から取外された操作パネル６０を開閉扉１２の裏面側に取付けるには、取外した操作パネル６０の前面側を作業者に向けた状態で、パネル本体６１の外向きフランジ部６１ｂの上端縁部を上側支持部６６ａの掛止部６６ａ2内に下方から差し込み、次いで、パネル本体６１の外向きフランジ部６１ｂの下端縁部を、下側支持部６６ｂの掛止部６６ｂ2が形成する嵌合溝部６６ｂ3内に上方から嵌め込むようにする。これにより、操作パネル６０は、下側支持部６６ｂの嵌合溝部６６ｂ3内で受承された状態で上側支持部６６ａの掛止部６６ａ2にて掛止されて支持される。
【００６０】
このような取付け状態の操作パネル６０においては、パネル本体６１を持ち上げた状態で前側へ引き出せば、パネル本体６１の外向きフランジ部６１ｂの下端縁部を、下側支持部６６ｂの嵌合溝部６６ｂ3から外すことができ、操作パネル６０を下方へ動かすことによって、開閉扉１２の裏面側から取外すことができる。
【００６１】
当該電解水生成装置においては、ケース本体１１内に収納されている各種機器類を点検、修理、試運転する等のメンテナンスに際しては、作業者は、開閉扉１２を開いてケース本体１１の前面側開口部を開放して操作パネル６０をケース本体１１から取外し、取外した操作パネル６０を、開いた状態の開閉扉１２の裏面側に支持して取付ける。作業者は、この状態でメンテナンスを開始する。
【００６２】
この状態では、操作パネル６０は、ケース本体１１の前面側開口部に対向する作業者の斜め側方に位置して見易い状態にあり、作業者は、その作業位置をほとんど移動することなく、たとえば振り向いた状態で、操作パネル６０の操作盤６３に配設されているスイッチ類、押しボタン類等を操作することができるとともに、各種の表示ランプを確認することができる。このため、従来のメンテナンス時のごとく、作業者はその都度、開閉扉の表面側へ大きく回り出なければならないという不都合は解消され、メンテナンスを一人の作業者で容易に行うことができるという利点がある。
【００６３】
また、当該開閉扉１２の裏面側に形成されている各支持部６６ａ，６６ｂは、開閉扉１２を補強する補強部材としても機能することから、当該開閉扉１２を各支持部６６ａ，６６ｂとは別体の補強部材で補強する必要はない。
【００６４】
さらには、当該開閉扉１２の裏面側には、各支持部６６ａ，６６ｂとは異なる第２の支持部６６ｃを設けることができ、第２の支持部６６ｃを、例えば、下側支持部６６ｂの嵌合溝部６６ｂ3より深溝に形成してマニュアルラック等に構成して、当該電解水生成装置の取扱い説明書等を保管するようにすれば、取扱い説明書等の紛失を防止することができる。当該第２の支持部６６ｃについても、これを開閉扉１２の補強部材としても機能することは勿論である。
【００６５】
なお、開閉扉１２裏面側に設ける各支持部６６ａ，６６ｂについては、操作パネル６０を作業者に対して表向きの状態で取外し可能に支持する機能を有するものであれば、如何なる構成の支持部をも採用することができる。また、第２の支持部６６ｃについても、マニュアルラック等として機能するものであれば、如何なる構成の支持部でも採用することができる。
【００６６】
当該電解水生成装置においては、塩水タンク２２については、異常時に塩水がタンクから溢れ出てケース１０内に漏洩することがないように配慮されている。塩水タンク２２は、被電解水を調製するために使用する所定濃度の塩水を生成するタンクであって、タンク本体２２ａ内には所定量の塩が収容されている。タンク本体２２ａ内に収容されている塩は、給水管路３４の分岐管路部を通して供給される原水により溶解されて、タンク本体２２ａ内では略飽和状態の一定濃度の濃塩水が生成される。生成された濃塩水は、パルスポンプ４２ａを介して、給水管路３４内を流動する原水に、設定された所定流量を継続して供給する。これにより、給水管路３４内の途中にて被電解水が調製される。調製された被電解水は、供給管路３１ａ，３１ｂを通して各電解槽２３，２４に供給される。
【００６７】
しかして、当該塩水タンク２２は、図９に示すように、タンク本体２２ａ内で起立するオーバーフローパイパイプ２２ｂを備えている。このため、タンク本体２２ａ内に原水を供給している場合や、タンク本体２２ａ内に塩を補充している場合、タンク本体２２ａ内の塩水が設定されたレベルに達した時には、タンク本体２２ａ内の余剰の塩水はオーバーフローパイプ２２ｂの上端開口部を通してその内部に流入し、オーバーフローパイプ２２ｂの下端部に接続されている図示しない排水管路を通してケース１０の外へ排水される。
【００６８】
また、当該塩水タンク２２においては、タンク本体２２ａの奥壁部の上方の部位に、流出口部２２ｃを備えている。流出口部２２ｃは、オーバーフローパイプ２２ｂの上端開口部よりわずかに上方の部位にて開口していて、図示しない排水管路に接続されている。このため、タンク本体２２ａ内の塩水のレベルがオーバーフローパイプ２２ｂの上端開口部より上方に位置した場合には、余剰の塩水は流出口部２２ｃから排水管路に流出し、ケース１０の外へ排水される。
【００６９】
このため、オーバーフローパイプ２２ｂが塩の塊や塩中の夾雑物等により詰まったような異常状態が発生してオーバーフローパイプ２２ｂが機能しなくなった場合には、流出口部２２ｃがオーバーフローパイプと同様に機能し、塩水のタンク本体２２ａの上端開口部２２ａ1からの溢出を阻止して、塩水のケース１０内への漏洩を防止する。このため、当該電解水生成装置において、オーバーフローパイプ２２ｂの機能が喪失する等の異常状態が発生しても、塩水のケース１０内への漏洩を防止し、漏洩した塩水に起因する機器類の錆びの発生や電気機器の漏電等の発生を防止することができる。
【符号の説明】
【００７０】
Ａ…装置本体、Ｂ…第１の貯溜タンク、Ｃ…第２の貯溜タンク、Ｂ1，Ｃ1…オーバーフローパイプ、Ｂ2，Ｃ2…フロートスイッチ、Ｄ…支持台、Ｅ…警告ランプ、１０…ケース、１１…ケース本体、１１ａ，１１ｂ…吐出口部、１１ｃ，１１ｄ，１１ｅ…通気口部、１２…開閉扉、１３…アンダカバー、２１…軟水器、２２…塩水タンク、２２ａ…タンク本体、２２ａ1…上端開口部、２２ｂ…オーバーフローパイプ、２２ｃ…流出口部、２３，２４…電解槽、２５…中和槽、３１ａ，３１ｂ…被電解水の供給管路、３２ａ，３２ｂ，３３ａ，３３ｂ…電解生成水の流出管路、３２ｃ，３２ｄ，３３ｃ，３３ｄ…導入管路、３４…給水管路、３５…塩水の供給管路、３６ａ，３６ｂ，３６ｃ…排水管路、３７ａ…第１注出管路、３７ｂ…第２注出管路、４１ａ，４１ｂ…切換弁、４２ａ…パルスポンプ、４２ｂ，４２ｃ…注出ポンプ、４３ａ…減圧弁、４３ｂ，４３ｃ，４３ｄ…開閉弁、開閉弁４３ｅ，４３ｆ…開閉弁、５０…制御装置、６０…操作パネル、６１…パネル本体、６１ａ…開口部、６１ｂ…外向きフランジ部、６１ｃ…支持用孔、６２…投入筒部、６３…操作盤、６４…開閉扉、６５ａ，６５ｂ…支持部、６５ｃ…支持用ピン、６６ａ…上側支持部、６６ａ1…板状基部、６６ａ2…掛止部、６６ｂ…下側支持部、６６ｂ1…板状基部、６６ｂ2…掛止部、６６ｂ3…嵌合溝部、６６ｃ…第２の支持部。
【図１】
2010188307.tif 000003
【図２】
2010188307.tif 000004
【図３】
2010188307.tif 000005
【図４】
2010188307.tif 000006
【図５】
2010188307.tif 000007
【図６】
2010188307.tif 000008
【図７】
2010188307.tif 000009
【図８】
2010188307.tif 000010
【図９】
2010188307.tif 000011